(57)【要約】【課題】  被験者が、測定された血圧がどの血圧区分に属するかを表示部を見なくても認識することのできる血圧計を提供すること。【解決手段】  流体が供給されて膨張する空気袋５１を含み、生体の所定部位に装着されて動脈を圧迫するためのカフ５０と、空気袋５１内の圧力であるカフ圧に圧迫されて生じる動脈の容積変化より脈波情報を抽出するための圧力センサ３２と、圧力センサ３２により抽出された脈波情報より血圧を算出するためのＣＰＵ３０と、ＣＰＵ３０により算出された血圧を表示するための表示部４０と、ＣＰＵ３０により算出された血圧が、予め定められた血圧区分のうちのいずれに属するかを判定するための血圧区分判定部６０と、血圧区分判定部６０により判定された血圧区分に応じて振動を制御するための信号を生成する振動制御部６５と、振動制御部６５からの信号に応じて振動する振動出力部６２とを備える。【選択図】        図２
2006158639.tif 000002
【特許請求の範囲】
【請求項１】
流体が供給されて膨張する流体袋を含み、生体の所定部位に装着されて動脈を圧迫するためのカフと、
血圧測定に関する制御を行なうための測定制御部とを備え、
前記測定制御部は、
前記流体袋内の圧力であるカフ圧を制御するためのカフ圧制御手段と、
前記カフ圧に圧迫されて生じる前記動脈の容積変化より脈波情報を抽出するための脈波情報抽出手段と、
前記脈波情報抽出手段により抽出された前記脈波情報より血圧を算出するための血圧算出手段と、
前記血圧算出手段により算出された前記血圧を表示するための表示手段と、
前記血圧算出手段により算出された前記血圧が、予め定められた血圧区分のうちのいずれに属するかを判定するための血圧区分判定手段と、
前記血圧区分判定手段により判定された前記血圧区分に応じて振動を制御するための信号を生成する振動制御手段とを含み、
前記振動制御手段からの前記信号に応じて振動する振動出力手段をさらに備える、血圧計。
【請求項２】
前記振動制御手段は、前記血圧区分判定手段により所定の血圧区分であると判定された場合に、前記振動出力手段を駆動させる、請求項１に記載の血圧計。
【請求項３】
前記振動出力手段は、互いに離れて設けられる複数の振動手段を含み、
前記振動制御手段は、前記血圧区分判定手段により判定された前記血圧区分にしたがって、選択的に前記複数の振動手段を駆動させる、請求項１に記載の血圧計。
【請求項４】
前記振動制御手段は、前記血圧区分判定手段により判定された前記血圧区分にしたがって、前記振動出力手段より出力される振動の周波数を変化させる、請求項１に記載の血圧計。
【請求項５】
前記振動制御手段は、前記血圧区分判定手段により判定された前記血圧区分にしたがって、前記振動出力手段より出力される振動の振幅を変化させる、請求項１に記載の血圧計。
【請求項６】
前記カフに取り付けられる筐体をさらに備え、
前記振動出力手段は、前記測定制御部とともに前記筐体内に設けられる、請求項１に記載の血圧計。
【請求項７】
前記振動出力手段は、前記カフに設けられる、請求項１に記載の血圧計。
【請求項８】
前記血圧算出手段により算出された前記血圧を記憶するための記憶手段と、
前記記憶手段により記憶された前記血圧を順次読み出すための読み出し手段とをさらに備え、
前記血圧区分判定手段は、前記読み出し手段により読み出された前記血圧が、予め定められた前記血圧区分のうちのいずれに属するかを判定し、
前記振動制御手段は、前記血圧区分判定手段により判定された前記血圧区分にしたがって、前記振動出力手段の駆動を制御する、請求項１に記載の血圧計。
【請求項９】
前記血圧算出手段により算出された前記血圧を記憶するための記憶手段と、
前記記憶手段により記憶された所定回数分の前記血圧の平均値を算出するための平均値算出手段とをさらに備え、
前記血圧区分判定手段は、前記平均値算出手段により算出された前記平均値が、予め定められた前記血圧区分のうちのいずれに属するかを判定し、
前記振動制御手段は、前記血圧区分判定手段により判定された前記血圧区分にしたがって、前記振動出力手段の駆動を制御する、請求項１に記載の血圧計。
【発明の詳細な説明】
【技術分野】
【０００１】
本発明は、血圧計に関する。
【背景技術】
【０００２】
血圧測定に際しては、生体の測定部位（上腕または手首）にカフを巻き付け、ポンプ等で空気を送り込んで生体の測定部位の動脈を圧迫する。圧迫した後、カフの内圧を減圧する。この間に得られる動脈の脈波情報から血圧を算出する。算出された最高血圧値および最低血圧値は、液晶等の表示部に出力される。
【０００３】
このようにして出力される血圧の状態を、ユーザが容易に認識することができる血圧計が、従来より提案されてきた。
【０００４】
たとえば特許文献１には、最高血圧値と最低血圧値とをそれぞれ表示する数値表示部を有し、測定した最高血圧値と最低血圧値とがそれぞれの基準領域から外れたときには、個別に異常を警告する技術が開示されている。これにより、使用者に血圧値と警告とを瞬時に知らせることができる。また、特許文献２には、測定した血圧値がいずれの血圧区分に属するか判定し、この属する区分を棒状の領域で表示する技術が開示されている。
【特許文献１】特開２０００−１７５８７３号公報
【特許文献２】特開２００４−１２１６３２号公報
【発明の開示】
【発明が解決しようとする課題】
【０００５】
しかしながら、特許文献１および２のいずれも、表示部に血圧値とともに血圧情報を表示して血圧区分等をユーザに知らせるものである。
【０００６】
一方、近年、血圧計も携帯性を向上させるため、本体に小型化が要求され、表示部自体の占める割合も減少しているのが現状である。また、表示のみで血圧区分等の情報を出力する血圧計では、視力の低い被験者にとってそれらの情報の認識が困難な場合がある。
【０００７】
本発明は、上記のような問題を解決するためになされたものであって、その目的は、被験者が、測定された血圧がどの血圧区分に属するかを表示部を見なくても認識することのできる血圧計を提供することである。
【課題を解決するための手段】
【０００８】
この発明のある局面に従う血圧計は、流体が供給されて膨張する流体袋を含み、生体の所定部位に装着されて動脈を圧迫するためのカフと、血圧測定に関する制御を行なうための測定制御部とを備え、測定制御部は、流体袋内の圧力であるカフ圧を制御するためのカフ圧制御手段と、カフ圧に圧迫されて生じる動脈の容積変化より脈波情報を抽出するための脈波情報抽出手段と、脈波情報抽出手段により抽出された脈波情報より血圧を算出するための血圧算出手段と、血圧算出手段により算出された血圧を表示するための表示手段と、血圧算出手段により算出された血圧が、予め定められた血圧区分のうちのいずれに属するかを判定するための血圧区分判定手段と、血圧区分判定手段により判定された血圧区分に応じて振動を制御するための信号を生成する振動制御手段とを含み、振動制御手段からの信号に応じて振動する振動出力手段をさらに備える。
【０００９】
このような構成とすることにより、判定された血圧区分が振動により被験者に出力される。
【００１０】
好ましくは、振動制御手段は、血圧区分判定手段により所定の血圧区分であると判定された場合に、振動出力手段を駆動させる。
【００１１】
このことによって、所定の血圧区分であったか否かが振動により被験者に出力される。
【００１２】
好ましくは、振動出力手段は、互いに離れて設けられる複数の振動手段を含み、振動制御手段は、血圧区分判定手段により判定された血圧区分にしたがって、選択的に複数の振動手段を駆動させる。
【００１３】
このことにより、判定された血圧区分が振動される場所によって被験者に出力される。
【００１４】
また、振動制御手段は、血圧区分判定手段により判定された血圧区分にしたがって、振動出力手段より出力される振動の周波数を変化させてもよいし、振動出力手段より出力される振動の振幅を変化させてもよい。
【００１５】
このことにより、判定された血圧区分が振動の伝わり方の違いによって被験者に出力される。
【００１６】
振動出力手段は、カフに取り付けられる筐体内に、測定制御部とともに設けられてもよいし、カフに設けられてもよい。
【００１７】
好ましくは、血圧算出手段により算出された血圧を記憶するための記憶手段と、記憶手段により記憶された血圧を順次読み出すための読み出し手段とをさらに備え、血圧区分判定手段は、読み出し手段により読み出された血圧が、予め定められた血圧区分のうちのいずれに属するかを判定し、振動制御手段は、血圧区分判定手段により判定された血圧区分にしたがって、振動出力手段の駆動を制御する。
【００１８】
このことによって、過去に測定された血圧についても血圧区分が判定され、被験者に出力される。
【００１９】
好ましくは、血圧算出手段により算出された血圧を記憶するための記憶手段と、記憶手段により記憶された所定回数分の血圧の平均値を算出するための平均値算出手段とをさらに備え、血圧区分判定手段は、平均値算出手段により算出された平均値が、予め定められた血圧区分のうちのいずれに属するかを判定し、振動制御手段は、血圧区分判定手段により判定された血圧区分にしたがって、振動出力手段の駆動を制御する。
【００２０】
このことによって、過去に測定された血圧の平均値についても血圧区分が判定され、被験者に出力される。
【発明の効果】
【００２１】
本発明によると、被験者は、表示を見なくても、測定された血圧がいずれの血圧区分に属するかを振動により認識することができる。
【発明を実施するための最良の形態】
【００２２】
本発明の実施の形態について図面を参照しながら詳細に説明する。なお、図中同一または相当部分には同一符号を付してその説明は繰返さない。
【００２３】
［実施の形態１］
図１は、本発明の実施の形態１に係る血圧計１００Ａの外観斜視図である。
【００２４】
図１を参照して、血圧計１００Ａは、血圧計本体部１０と、生体１（手首）に巻き付け可能なカフ５０とを備える。血圧計本体部１０はカフ５０に取り付けられている。血圧計本体部１０の表面には、表示部４０と操作部４１とが配置されており、操作部４１として、たとえば３つの操作ボタン４１．１，４１．２，および４１．３が設けられる。
【００２５】
本実施の形態において、操作ボタン４１．２は、測定および測定停止の指示を与えるためのボタンであり、操作ボタン４１．１は、過去に測定して記憶された血圧を読み出すためのボタンであり、操作ボタン４１．３は、各種設定のためのボタンである。また、操作ボタン４１．１は送りキー、操作ボタン４１．３は戻りキーの機能を兼ね備える。
【００２６】
図２は、本発明の実施の形態１に係る血圧計１００Ａの構成を表わすブロック図である。
【００２７】
図２を参照して血圧計１００Ａのカフ５０は、空気袋５１を含む。血圧計本体部１０は、空気袋５１にチューブ５３を介して空気を供給または排出するための血圧測定用エアー系５２、血圧測定用エアー系５２に関連して設けられる発振回路３５、ポンプ駆動回路３６、弁駆動回路３７を含む。
【００２８】
また、血圧計本体部１０は、各部を集中的に制御および監視するためのＣＰＵ（Central Processing Unit）３０、ＣＰＵ３０に所定の動作をさせるプログラムや測定された血圧値などの各種情報を記憶するためのメモリ部３９、血圧測定結果を含む各種情報を表示するための表示部４０、測定のための各種指示を入力するために操作される操作部４１、操作部４１からの電源ＯＮの指示によりＣＰＵ３０に電力を供給するための電源供給部、たとえば電池７１を含む電源部４２、および測定開始を知らせるなど音を発するためのブザー４３を含む。
【００２９】
さらに、血圧計本体部１０は、後述する血圧区分を通知するための振動を出力する振動出力部６２、および振動出力部６２を駆動させるための振動駆動回路６１を含む。また、ＣＰＵ３０は、測定された血圧の血圧区分を判定するための血圧区分判定部６０と、血圧区分判定部６０での判定結果に基づいて振動駆動回路６１に制御信号を送信するための振動制御部６５とを含む。
【００３０】
血圧測定用エアー系５２は、空気袋５１内の圧力（以下、「カフ圧」という）により容量値が変化する圧力センサ３２、空気袋５１に空気を供給するためのポンプ３３および空気袋５１の空気を排出しまたは封入するために開閉される弁３４を有する。発振回路３５は、圧力センサ３２の容量値に応じた発振周波数の信号をＣＰＵ３０に出力する。ＣＰＵ３０は、発振回路３５から得られる信号を圧力に変換し圧力を検知する。
【００３１】
ポンプ駆動回路３６はポンプ３３の駆動をＣＰＵ３０から与えられる制御信号に基づいて制御する。弁駆動回路３７は弁３４の開閉制御をＣＰＵ３０から与えられる制御信号に基づいて行なう。
【００３２】
なお、たとえば、ＣＰＵ３０、発振回路３５、ポンプ駆動回路３６、弁駆動回路３７、メモリ部３９、振動駆動回路６１、および電池７１等の電力供給部を除く電源部４２は、回路基板７０（図３参照）上に組むことができる。
【００３３】
図３は、実施の形態１に係る血圧計１００ＡのＸ−Ｘ線に沿った模式断面図である。
【００３４】
図３を参照して、カフ５０は、装着状態において外側に位置する外布１３と、内側に位置する内布１４と、外布１３と内布１４との間に設けられる流体袋としての空気袋５１と、空気袋５１の外側に位置するカーラ１２とを備える。これらの外布１３，内布１４，空気袋５１およびカーラ１２は、カフ５０の巻き付け方向を長手方向として延在している。
【００３５】
外布１３の外周面には、測定部位である手首にカフ５０を装着した状態において、血圧計１００Ａを手首に安定的に固定するための面ファスナ１６が設けられる。
【００３６】
空気袋５１の外側には、環状に巻き回されることによって径方向に弾性変形可能に構成された可撓性部材であるカーラ１２が配置されている。このカーラ１２は、自身の環状形態を維持するように構成されており、装着状態において空気袋５１を手首に向かって押圧する。
【００３７】
また、図３を参照して、カフ５０の外周面には血圧計本体部１０が取り付けられる。血圧計本体部１０の表面には、液晶等により構成される表示部４０が配置される。血圧計本体部１０の図３における左下部には、電源部４２に含まれる電池７１がたとえば２個配置される。また、血圧計本体部１０には、表示部４０と平行に回路基板７０が配置され、その下に、ポンプ３３と弁３４とが並べて配置される。また、血圧計本体部１０には、ポンプ３３と弁３４とにまたがるようにチューブ５３が配置される。チューブ５３は、カフ５０内の空気袋５１につなげられる。また、血圧計本体部１０の図３における右下部には、ブザー４３が配置される。
【００３８】
また、血圧計本体部１０の図３における中央下部には、振動出力部６２が配置される。振動出力部６２には回路基板７０からの２本の配線７３がつなげられる。振動出力部６２は、たとえば、回転により振動を発するモータなどにより構成される。
【００３９】
このように、振動出力部６２は、血圧測定に関する制御を行なうために設けられる回路基板７０などとともに血圧計本体部１０内に設けられる。したがって、故障しにくく、また、従来より存在するカフ５０を交換品としてそのまま使うことが可能となる。
【００４０】
なお、振動出力部６２の配置位置は図３のとおりでなくてもよいが、被験者に振動を伝わりやすくするために、血圧計本体部１０内の、カフ５０と接する部分に配置されることが好ましい。
【００４１】
図４は、血圧計１００Ａの表示部４０の画面表示例を示す図である。図４（ａ）および（ｂ）を参照して、表示部４０の表示領域Ｂ１には最高血圧（単位：ｍｍＨｇ）が表示され、表示領域Ｂ２には最低血圧（単位：ｍｍＨｇ）が表示される。また、表示領域Ｂ４には１分間を単位とする脈拍数が表示される。また、表示領域Ｂ３には、時刻および年月日の情報が一定期間（たとえば３秒）ごとに交互に表示される。図４（ａ）の表示領域Ｂ３には「ＰＭ１１：３０」と示され、時刻が表示された例である。一方、図４（ｂ）の表示領域Ｂ３には「２００４／１１／１０」と示され、年月日が表示された例である。
【００４２】
図５は、本発明の実施の形態１における血圧測定処理の流れを示すフローチャートである。このフローチャートに従うプログラムは、メモリ部３９に予め記憶されて、ＣＰＵ３０がメモリ部３９からこのプログラムを読出し実行することにより血圧測定処理が行なわれる。
【００４３】
図５を参照して、被験者が血圧計１００Ａの操作部４１の操作ボタン４１．２を操作して電源ＯＮすると血圧計１００Ａの初期化がなされる（ステップＳ１０２）。
【００４４】
次に、ＣＰＵ３０は、測定可能状態になると、ポンプ３３を駆動開始し、空気袋５１のカフ圧を徐々に上昇させる（ステップＳ１０４）。徐々に加圧する過程において、血圧測定のための所定レベルにまでカフ圧が達すると、ＣＰＵ３０はポンプ３３を停止し、次に閉じていた弁３４を徐々に開いて、空気袋５１の空気を徐々に排気し、カフ圧を徐々に減圧させる（ステップＳ１０６）。本実施の形態１ではカフ圧の微速減圧過程において血圧を測定する。なお、カフ圧の加圧過程において血圧を測定することとしてもよい。
【００４５】
次に、ＣＰＵ３０は公知の手順で血圧（最高血圧、最低血圧）を算出する（ステップＳ１０８）。具体的には、カフ圧が徐々に減圧する過程において、ＣＰＵ３０は発振回路３５から得られる発振周波数に基づき脈波情報を抽出する。そして、抽出された脈波情報により血圧を算出する。
【００４６】
ステップＳ１０８において血圧が算出されると、算出された血圧をメモリ部３９に記憶させて（ステップＳ１０９）、算出された血圧を表示部４０に表示させる（ステップＳ１１０）。
【００４７】
このようにして表示部４０には、図４に示したように血圧が表示されるが、携帯型の血圧計１００Ａの表示部４０が小さいと、被験者は表示される血圧を視認し難い場合がある。
【００４８】
そこで、本発明の実施の形態１におけるＣＰＵ３０は、続いて、ステップＳ１０８において算出された血圧に基づいて後述の振動出力処理を行なう（ステップＳ１１２）。このステップＳ１１２の振動出力処理が終了すると、この一連の血圧測定処理を終了する。
【００４９】
次に、図６〜図８を用いて、本発明の実施の形態１における振動出力処理について説明する。実施の形態１では、血圧の測定結果が、所定の血圧区分、たとえば高血圧区分であるか否かを振動により被験者に知らせるものである。この所定の血圧区分であるか否かを判定するために、メモリ部３９には、所定の最高血圧（以下「Ｓ１」という）および所定の最低血圧（以下「Ｄ１」という）が予め記憶される。
【００５０】
本実施の形態では、高血圧区分を判定するために、ＷＨＯ（世界保健機構）／ＩＳＨ（国際高血圧学会）による血圧区分を用いる。図７は、ＷＨＯ／ＩＳＨによる血圧区分を示す図である。
【００５１】
図７を参照して、縦軸に最高血圧（単位：ｍｍＨｇ）、横軸に最低血圧（単位：ｍｍＨｇ）が示される。ＷＨＯ／ＩＳＨによる血圧区分では、最高血圧が１２０未満かつ最低血圧が８０未満であれば「至適血圧」、最高血圧が１３０未満かつ最低血圧が８５未満であれば「正常血圧」、最高血圧が１４０未満かつ最低血圧が９０未満であれば「正常高値」、最高血圧が１６０未満かつ最低血圧が１００未満であれば「高血圧軽症」、最高血圧が１８０未満かつ最低血圧が１１０未満であれば「高血圧中等症」、最高血圧が１８０以上または最低血圧が１１０以上であれば「高血圧重症」とされる。
【００５２】
したがって、この血圧区分に従うと、最高血圧１４０ｍｍＨｇ以上または、最低血圧９０ｍｍＨｇ以上の場合には、高血圧区分となる。そこで、本発明の実施の形態１では、上記Ｓ１を１４０ｍｍＨｇ、上記Ｄ１を９０ｍｍＨｇとして、メモリ部３９に予めを記憶しておく。これにより、測定結果の血圧が、高血圧区分か否かをＷＨＯ／ＩＳＨによる血圧区分に従って判定される。
【００５３】
図６は、本発明の実施の形態１における振動出力処理の流れを示すフローチャートである。この処理は、ＣＰＵ３０に含まれる血圧区分判定部６０および振動制御部６５が、図５のステップＳ１０８で算出された血圧に基づいて実行される処理である。
【００５４】
図６を参照して、血圧区分判定部６０は、最高血圧がＳ１以上であるか否かを判定する（ステップＳ１２２）。血圧区分判定部６０により最高血圧がＳ１以上であると判定されると（ステップＳ１２２においてＹＥＳ）、振動制御部６５は振動駆動回路６１に制御信号を送信して、振動出力部６２を駆動させる（ステップＳ１２６）。
【００５５】
一方、ステップＳ１２２において最高血圧がＳ１未満であれば（ステップＳ１２２においてＮＯ）、血圧区分判定部６０は、次に最低血圧がＤ１以上であるか否かを判定する（ステップＳ１２４）。血圧区分判定部６０により最低血圧がＤ１以上であると判定されると（ステップＳ１２４においてＹＥＳ）、振動制御部６５は振動駆動回路６１に制御信号を送信して、振動出力部６２を駆動させる（ステップＳ１２６）。
【００５６】
ここで、図６に示した振動出力処理がなされる場合の一例について、図８を用いて説明する。図８には、被験者の測定部位である手首１にカフ５０が装着された状態を示す。
【００５７】
図８を参照して、ステップＳ１０８において算出された最高血圧が１７８ｍｍＨｇであり、最低血圧が７８ｍｍＨｇであると、その値がそれぞれ表示部４０に表示される（ステップＳ１１０）。この例では、最高血圧がＳ１（１４０ｍｍＨｇ）以上であるので（ステップＳ１２２においてＹＥＳ）、高血圧区分であると判定されて、振動出力部６２が振動する。
【００５８】
このように、実施の形態１では、測定された血圧が高血圧区分であると判定された場合、被験者に振動を与えて高血圧区分と判定されたことを知らせる。したがって、表示部４０の表示領域、特に図４に示した表示領域Ｂ１およびＢ２が小さく血圧が視認し難い場合であっても、被験者は表示部４０を見なくても高血圧区分であるか否かを知ることができる。また、被験者の視力が非常に低い場合であっても、被験者は、測定結果が高血圧区分であったか否かを認識することができる。
【００５９】
なお、実施の形態１において、予めメモリ部３９に記憶されるＳ１およびＤ１は、ＷＨＯ／ＩＳＨによる血圧区分に従った値（１４０ｍｍＨｇおよび９０ｍｍＨｇ）でなくてもよい。たとえば、近年提唱されつつある家庭血圧による血圧区分を用いてもよい。この家庭血圧においては、最高血圧１３５ｍｍＨｇ以上、または最低血圧８５ｍｍＨｇ以上の場合に高血圧区分であるといわれる。したがって、上記Ｓ１およびＤ１として、１３５ｍｍＨｇ、および８５ｍｍＨｇをメモリ部３９に記憶させておいてもよい。
【００６０】
また、被験者などにより、上記Ｓ１およびＤ１の値を自由に設定できることとしてもよい。この場合、操作部４１を操作することによって被験者に適した値を記憶することができる。たとえば普段から最高血圧が１４０ｍｍＨｇ、最低血圧が９０ｍｍＨｇを越えているような被験者の場合、ＷＨＯ／ＩＳＨによる血圧区分の高血圧中等症以上の血圧区分であるか否かを判定することもできる。この場合、Ｓ１を１６０ｍｍＨｇ、Ｄ１を１００ｍｍＨｇとして、メモリ部３９に記憶させておけばよい。
【００６１】
以上、図２に示した血圧測定処理の一環として実行される振動出力処理について説明したが、過去に測定した血圧に対して振動させることとしてもよい。
【００６２】
図９は、実施の形態１における血圧読み出し処理の流れを示すフローチャートである。このフローチャートに従うプログラムは、メモリ部３９に予め記憶されて、ＣＰＵ３０がメモリ部３９からこのプログラムを読出し実行することにより血圧読み出し処理が行なわれる。また、この処理は、たとえば操作ボタン４１．１が操作されたことをＣＰＵ３０が検知することにより実行される。
【００６３】
図９を参照して、はじめに、ＣＰＵ３０は、メモリ部３９に記憶された所定回数（たとえば３回）分の血圧を読み出す（ステップＳ１４２）。次に、平均値、すなわち最高血圧の平均値および最低血圧の平均値を算出して（ステップＳ１４４）、表示部４０にその値をそれぞれ表示する。次に、算出した平均値に基づいて、たとえば図６に示した振動出力処理を実行する（ステップＳ１４６）。
【００６４】
このように、メモリ部３９に記憶された所定回数分の血圧の平均値に対しても振動出力処理を行なう。したがって、被験者は、平均値が高血圧区分であるか否かについても振動により認識することができる。
【００６５】
次に、ＣＰＵ３０は、再び操作ボタン４１．１が操作されて読み出しの指示の入力があったか否かを検出する（ステップＳ１４８）。読み出しの指示の入力が検知されない場合（ステップＳ１４８においてＮＯ）、このメモリ読み出し処理を終了する。
【００６６】
一方、ＣＰＵ３０は、読み出しの指示の入力を検知した場合（ステップＳ１４８においてＹＥＳ）、変数ｉを１にして初期化する（ステップＳ１５０）。次に、ｉ番目の血圧を読み出して（ステップＳ１５２）、読み出した値を表示部４０に表示させる。読み出した血圧に基づいて、たとえば図６に示した振動出力処理を実行する（ステップＳ１５４）。
【００６７】
ＣＰＵ３０は、さらに、操作ボタン４１．１が操作されて読み出しの指示の入力があったか否かを検出する（ステップＳ１５６）。読み出しの指示の入力が検知されない場合（ステップＳ１５６においてＮＯ）、このメモリ読み出し処理を終了する。
【００６８】
一方、ＣＰＵ３０は、読み出しの指示の入力を検知した場合（ステップＳ１５６においてＹＥＳ）、変数ｉが最大数ｍａｘに達したか否かを判断する（ステップＳ１５８）。変数ｉが最大数ｍａｘに達していなければ（ステップＳ１５８においてＮＯ）、変数ｉを１インクリメントする（ステップＳ１６０）。変数ｉが最大数ｍａｘに達していれば（ステップＳ１５８においてＹＥＳ）、このメモリ読み出し処理を終了する。
【００６９】
このように、被験者によってボタン操作がなされる度に、過去に測定した血圧に対して振動出力処理を行なうことにより、被験者は、血圧区分の変化を瞬時に認識することができる。
【００７０】
なお、図９に示したステップＳ１４２〜Ｓ１４６の処理と、ステップＳ１４８〜Ｓ１６０の処理とは、別のプログラムにより実行される処理であってもよい。この場合、たとえば所定回数分の血圧の平均値を読み出すためのボタンと１回ずつ血圧を読み出すためのボタンとをそれぞれ設けることとしてもよい。
【００７１】
（変形例）
上記実施の形態１では、図３に示したように、振動出力部６２は血圧計本体部１０内に設けられこととしたが、カフ５０内に設けることとしてもよい。
【００７２】
図１０は、本発明の実施の形態１の変形例に係る血圧計１００Ｂの構成を表わすブロック図である。図１０に示すように、実施の形態１の変形例では、振動出力部６２はカフ５０内に設けられる。なお、他の構成およびそれらの動作については実施の形態１と同様であるのでここでは説明を繰り返さない。また、実施の形態１の変形例に係る血圧計１００Ｂの外観斜視図も、図１に示した実施の形態１における血圧計１００Ａの外観斜視図と同様である。
【００７３】
図１１は、実施の形態１の変形例に係る血圧計１００ＢのＸ−Ｘ線（図１参照）に沿った模式断面図である。図１１を参照して、振動出力部６２は、外布１３とカーラ１２との間に設けられ、血圧計本体部１０内の回路基板７０からの２本の配線７３がつなげられる。振動出力部６２は、たとえば、カーラ１２の中央付近に設けられた爪によって固定される。また、この場合、血圧計本体部１０内のブザー４３は、実施の形態１において振動出力部６２が配置された場所に配置されてもよい。
【００７４】
このように、実施の形態１の変形例において、振動出力部６２をカフ５０内に設けることにより、被験者の手首１に直接的な振動を与えることが可能になる。
【００７５】
［実施の形態２］
実施の形態１では、１つの振動出力部を振動させるか否かによって被験者に血圧区分を知らせるものであったが、実施の形態２では、複数の振動出力部を備え、これらを選択的に振動させることにより被験者に血圧区分を知らせるものである。
【００７６】
図１２は、本発明の実施の形態２に係る血圧計２００Ａの構成を表わすブロック図である。図１２を参照して血圧計２００Ａは、実施の形態１と同様に、大きくは、血圧計本体部１０とカフ５０とを備える。
【００７７】
血圧計本体部１０は、たとえば２つの振動出力部として、第１振動出力部６２ａおよび第２振動出力部６２ｂを含む。また、第１振動出力部６２ａを駆動させるための第１振動駆動回路６１ａと、第２振動出力部６２ｂを駆動させるための第２振動駆動回路６１ｂとがそれぞれ設けられる。振動制御部６５は、血圧区分判定部６０による判定結果に基づいて、第１振動駆動回路６１ａおよび第２振動出力部６２ｂに対して制御信号を送信する。
なお、他の構成およびそれらの動作については、実施の形態１の血圧計１００Ａと同様であるのでここでは説明を繰り返さない。また、実施の形態２に係る血圧計２００Ａの外観斜視図も、図１に示した実施の形態１における血圧計１００Ａの外観斜視図と同様である。
【００７８】
図１３は、２つの振動出力部、すなわち第１振動出力部６２ａおよび第２振動出力部６２ｂの配置例を示す図である。図１３（ａ）および（ｂ）には、カフ５０が被験者の手首１に装着された状態が表わされる。
【００７９】
図１３（ａ）は、第１の配置例を示す図である。第１振動出力部６２ａおよび第２振動出力部６２ｂは、血圧計本体部１０内の、装着状態における末端側の両端部にそれぞれ離れて設けられる。
【００８０】
図１３（ｂ）は、第２の配置例を示す図である。第１振動出力部６２ａおよび第２振動出力部６２ｂは、装着状態において、手首１の軸方向と並行な方向における血圧計本体部１０内の端部にそれぞれ離れて設けられる。
【００８１】
このように、第１振動出力部６２ａと第２振動出力部６２ｂとを血圧計本体部１０内の一端と他端に設けるなど、被験者がどちらが振動しているのかが認識できる程度に離して配置されることが望ましい。
【００８２】
次に、上記のような本発明の実施の形態２に係る血圧計２００Ａにおける振動出力処理について説明する。なお、実施の形態２における振動出力処理も、実施の形態１およびその変形例において説明した血圧測定処理（図５参照）や、血圧読み出し処理（図９参照）の中で実行されるものとする。
【００８３】
実施の形態２においても、実施の形態１と同様に、所定の血圧区分、たとえば高血圧区分であるか否かを判定して第１振動出力部６２ａおよび第２振動出力部６２ｂを振動させる。したがって、この場合も、判定基準となる所定の最高血圧Ｓ１および最低血圧Ｄ１の値がメモリ部３９に予め記憶されている。なお、ここでも、たとえばＳ１を１４０ｍｍＨｇ、Ｄ１を９０ｍｍＨｇとし、ＷＨＯ／ＩＳＨによる血圧区分の高血圧区分であるか否かを判定する。さらに、実施の形態２では、測定された血圧がＳ１以上であったか否か、およびＤ１以上であったか否かを振動により被験者に知らせることができる。
【００８４】
図１４は、本発明の実施の形態２における振動出力処理の流れを示すフローチャートである。この処理は、たとえば図５のステップＳ１１２，図９のステップＳ１４６，あるいはステップＳ１５４において実行される処理である。
【００８５】
図１４を参照して、血圧区分判定部６０は、はじめに、最高血圧がＳ１以上であるか否かを判定する（ステップＳ２０２）。最高血圧がＳ１未満であれば（ステップＳ２０２においてＮＯ）、ステップＳ２０６に進む。一方、血圧区分判定部６０により最高血圧がＳ１以上であると判定されると（ステップＳ２０２においてＹＥＳ）、振動制御部６５は、第１振動駆動回路６１ａに制御信号を送信して、第１振動出力部６２ａを駆動させる（ステップＳ２０４）。ステップＳ２０４の処理の後、ステップＳ２０６に移行する。
【００８６】
次に、ステップＳ２０６において、血圧区分判定部６０は最低血圧がＤ１以上であるか否かを判定する。血圧区分判定部６０により最低血圧がＤ１未満であると判定されると（ステップＳ２０６においてＮＯ）、この振動出力処理を終了する。一方、血圧区分判定部６０により最低血圧がＤ１以上であると判定されると（ステップＳ２０６においてＹＥＳ）、振動制御部６５は、第２振動駆動回路６１ｂに制御信号を送信して、第２振動出力部６２ｂを駆動させる（ステップＳ２０８）。以上で振動出力処理を終了する。
【００８７】
ここで、図１４に示した振動出力処理がなされる場合の具体例について、図１５を用いて説明する。図１５には、被験者の測定部位である手首１にカフ５０が装着された状態を示す。なお、図１５では、図１３（ａ）に示したような配置例により第１振動出力部６２ａおよび第２振動出力部６２ｂが配置された様子が示される。
【００８８】
図１５（ａ）を参照すると、表示部４０に表示された最高血圧が１７８ｍｍＨｇであり、最低血圧が７８ｍｍＨｇである。そうすると、この場合、最高血圧がＳ１（１４０ｍｍＨｇ）以上であり、最低血圧がＤ１（９０ｍｍＨｇ）未満であるので（ステップＳ２０２においてＹＥＳ，ステップＳ２０６においてＮＯ）、第１振動出力部６２ａが振動する（ステップＳ２０４）。
【００８９】
図１５（ｂ）を参照すると、表示部４０に表示された最高血圧が１３８ｍｍＨｇであり、最低血圧が９８ｍｍＨｇである。そうすると、この場合、最高血圧がＳ１（１４０ｍｍＨｇ）未満であり、最低血圧がＤ１（９０ｍｍＨｇ）以上であるので（ステップＳ２０２においてＮＯ，ステップＳ２０６においてＹＥＳ）、第２振動出力部６２ｂが振動する（ステップＳ２０８）。
【００９０】
図１５（ｃ）を参照すると、表示部４０に表示された最高血圧が１７８ｍｍＨｇであり、最低血圧が９８ｍｍＨｇである。そうすると、この場合、最高血圧がＳ１（１４０ｍｍＨｇ）以上であり、最低血圧もＤ１（９０ｍｍＨｇ）以上であるので（ステップＳ２０２においてＹＥＳ，ステップＳ２０６においてＹＥＳ）、第１振動出力部６２ａおよび第２振動出力部６２ｂの両方が振動する（ステップＳ２０４，Ｓ２０８）。
【００９１】
このように、実施の形態２では、振動出力部が２つ設けられるので、最高血圧がＳ１以上であったため高血圧区分であると判定されたのか、最低血圧がＤ１以上であったため高血圧区分であると判定されたのか、それとも最高血圧および最低血圧の両方がそれぞれＳ１およびＤ１以上であったため高血圧区分と判定されたのかが、振動の場所により被験者に知らせることができる。これにより、被験者は表示部４０を見なくても高血圧区分であるか否かを認識することができ、さらに、その詳細を知ることができる。
【００９２】
（第１の変形例）
次に、図１６および図１７を用いて、本発明の実施の形態２の第１の変形例における振動出力処理について説明する。実施の形態２の第１の変形例における血圧計２００Ａのハードウェア構成については、実施の形態２と同じであるのでここではその説明は繰り返さない。
【００９３】
実施の形態２の第１の変形例では、振動により複数の血圧区分、たとえば、高血圧区分もしくは低血圧区分を知らせる。この場合、メモリ部３９には、予め、高血圧区分の判定基準となる所定の最高血圧Ｓ１および最低血圧Ｄ１を、さらに、低血圧区分の判定基準となる所定の最高血圧Ｓ２を記憶させておく。ここでも、Ｓ１を１４０ｍｍＨｇ、Ｄ１を９０ｍｍＨｇとし、ＷＨＯ／ＩＳＨによる血圧区分の高血圧区分であるか否かを判定する。Ｓ２については、一般的に最高血圧１００未満である場合に低血圧であるといわれることから、たとえば１００ｍｍＨｇとする。
【００９４】
図１６は、本発明の実施の形態２の第１の変形例における振動出力処理の流れを示すフローチャートである。この処理は、たとえば図５のステップＳ１１２，図９のステップＳ１４６，あるいはステップＳ１５４において実行される処理である。
【００９５】
図１６を参照して、血圧区分判定部６０は、はじめに、最高血圧がＳ１以上であるか否かを判定する（ステップＳ２１２）。最高血圧がＳ１未満であれば（ステップＳ２１２においてＮＯ）、ステップＳ２１６に進む。一方、血圧区分判定部６０により最高血圧がＳ１以上であると判定されると（ステップＳ２１２においてＹＥＳ）、振動制御部６５は、第１振動駆動回路６１ａに制御信号を送信して、第１振動出力部６２ａを駆動させる（ステップＳ２１４）。
【００９６】
ステップＳ２１６において、血圧区分判定部６０は最低血圧がＤ１以上であるか否かを判定する。血圧区分判定部６０により最低血圧がＤ１未満であると判定されると（ステップＳ２１６においてＮＯ）、ステップＳ２１８に進む。一方、血圧区分判定部６０により最低血圧がＤ１以上であると判定されると（ステップＳ２１６においてＹＥＳ）、振動制御部６５は、第１振動駆動回路６１ａに制御信号を送信して、第１振動出力部６２ａを駆動させる（ステップＳ２１４）。
【００９７】
ステップＳ２１８において、血圧区分判定部６０は最高血圧がＳ２未満であるか否かを判定する。血圧区分判定部６０により最高血圧がＳ２未満であると判定されると（ステップＳ２１８においてＹＥＳ）、振動制御部６５は、第２振動駆動回路６１ｂに制御信号を送信して、第２振動出力部６２ｂを駆動させる（ステップＳ２２０）。一方、血圧区分判定部６０により最高血圧がＳ２以上であると判定されると（ステップＳ２１８においてＮＯ）、この振動出力処理を終了する。
【００９８】
次に、図１６に示した振動出力処理がなされる場合の具体例について図１７を用いて説明する。図１７には、被験者の測定部位である手首１にカフ５０が装着された状態を示す。
【００９９】
図１７（ａ）を参照すると、表示部４０に表示された最高血圧が１７８ｍｍＨｇであり、最低血圧が７８ｍｍＨｇである。そうすると、この場合、最高血圧がＳ１（１４０ｍｍＨｇ）以上であるので（ステップＳ２１２においてＹＥＳ）、第１振動出力部６２ａが振動する（ステップＳ２１４）。
【０１００】
図１７（ｂ）を参照すると、表示部４０に表示された最高血圧が９８ｍｍＨｇであり、最低血圧が５８ｍｍＨｇであると。そうすると、この場合、最高血圧がＳ２（１００ｍｍＨｇ）未満であるので（ステップＳ２１８においてＹＥＳ）、第２振動出力部６２ｂが振動する（ステップＳ２２０）。
【０１０１】
このように、実施の形態２の第１の変形例では、振動出力部が２つ設けられるので、測定された血圧が高血圧区分あるいは低血圧区分であると判定された場合、判定結果に応じた振動出力部が振動されるので、被験者に血圧区分を知らせることができる。したがって、被験者は表示部４０を見なくても高血圧区分であるのか、あるいは低血圧区分であるのかを認識することができる。
【０１０２】
（第２の変形例）
上記実施の形態２および第１の変形例では、第１振動出力部６２ａおよび第２振動出力部６２ｂは血圧計本体部１０内に設けられたが、これらをカフ５０内に設けることとしてもよい。
【０１０３】
図１８は、本発明の実施の形態２の第２の変形例に係る血圧計２００Ｂの構成を表わすブロック図である。図１８に示すように、実施の形態２の第２の変形例では、第１振動出力部６２ａおよび第２振動出力部６２ｂはカフ５０内に設けられる。なお、他の構成およびそれらの動作については実施の形態２と同様であるのでここでは説明を繰り返さない。また、実施の形態２の第２の変形例に係る血圧計２００Ｂの外観斜視図も、図１に示した実施の形態１に係る血圧計１００Ａの外観斜視図と同様である。
【０１０４】
図１９は、実施の形態２の第２の変形例に係る血圧計２００ＢのＸ−Ｘ線（図１参照）に沿った模式断面図である。図１９を参照して、第１振動出力部６２ａおよび第２振動出力部６２ｂは、それぞれ、外布１３とカーラ１２との間に設けられ、血圧計本体部１０内の回路基板７０からの２本の配線７３がつなげられる。第１振動出力部６２ａは、たとえばカーラ１２の中央付近に設けられた爪によって固定され、第２振動出力部６２ｂは、たとえばカーラ１２の端部近くに設けられた爪によって固定される。
【０１０５】
このように、実施の形態２の第２の変形例において、たとえば装着状態において対向する箇所など、カフ５０内の離れた位置に配置されるため、被験者は振動の位置の違いを的確に判断することができる。これにより、被験者は、血圧区分の判定結果を、容易に認識することが可能となる。また、振動出力部６２をカフ５０内に設けることにより、被験者の手首１に直接的な振動を与えることができる。
【０１０６】
なお、以上の実施の形態２およびその変形例において、振動出力部を２つ設けた場合について説明したが、たとえば３つ以上であってもよい。以下、実施の形態２の第３の変形例として、振動出力部を３つ設けた場合について説明する。
【０１０７】
（第３の変形例）
図２０は、３つの振動出力部、すなわち第１振動出力部６２ａ，第２振動出力部６２ｂおよび第３振動出力部６２ｃの配置例を示す図である。図２０には、カフ５０が被験者の手首１に装着された状態が表わされる。
【０１０８】
図２０を参照して、第１振動出力部６２ａおよび第２振動出力部６２ｂは、血圧計本体部１０内の、装着状態における末端側の両端部にそれぞれ離れて設けられる。また、第３振動出力部６２ｃは、装着状態において、手首１の軸方向と並行な方向における血圧計本体部１０内の端部に第２振動出力部６２ｂと離れて設けられる。
【０１０９】
このように、血圧計２００Ａに３つの振動出力部が備えられた場合の振動出力処理について説明する。
【０１１０】
なお、この第３振動出力部６２ｃは、たとえば、図１２に示した血圧計２００Ａの血圧計本体部１０内に、第１振動出力部６２ａ，第２振動出力部６２ｂとともに設けられる。また、これを駆動するための第３振動駆動回路６１ｃがさらに設けられ、第３振動駆動回路６１ｃもまた振動制御部６５からの信号に応じて第３振動出力部６２ｃを駆動させる。
【０１１１】
このように３つの振動出力部が備えられた場合の振動出力処理については、たとえば以下のようすることができる。
【０１１２】
図２１は、本発明の実施の形態２の第３の変形例における振動出力処理の流れを示すフローチャートである。この処理は、たとえば図５のステップＳ１１２，図９のステップＳ１４６，あるいはステップＳ１５４において実行される処理である。なお、実施の形態２の第３の変形例においても、実施の形態２の第２の変形例と同様に、メモリ部３９には予め最高血圧Ｓ１（たとえば１４０ｍｍＨｇ），最低血圧Ｄ１（９０ｍｍＨｇ），および最高血圧Ｓ２（１００ｍｍＨｇ）の値が予め記憶されているものとする。
【０１１３】
図２１を参照して、血圧区分判定部６０は、はじめに、最高血圧がＳ１以上であるか否かを判定する（ステップＳ２４２）。最高血圧がＳ１未満であれば（ステップＳ２４２においてＮＯ）、ステップＳ２４６に進む。一方、血圧区分判定部６０により最高血圧がＳ１以上であると判定されると（ステップＳ２４２においてＹＥＳ）、振動制御部６５は、第１振動駆動回路６１ａに制御信号を送信して、第１振動出力部６２ａを駆動させる（ステップＳ２４４）。
【０１１４】
ステップＳ２４６において、血圧区分判定部６０は最低血圧がＤ１以上であるか否かを判定する。血圧区分判定部６０により最低血圧がＤ１未満であると判定されると（ステップＳ２４６においてＮＯ）、ステップＳ２５０に進む。一方、血圧区分判定部６０により最低血圧がＤ１以上であると判定されると（ステップＳ２４６においてＹＥＳ）、振動制御部６５は、第２振動駆動回路６１ｂに制御信号を送信して、第２振動出力部６２ｂを駆動させる（ステップＳ２４８）。
【０１１５】
ステップＳ２５０において、血圧区分判定部６０は最高血圧がＳ２未満であるか否かを判定する。血圧区分判定部６０により最高血圧がＳ２未満であると判定されると（ステップＳ２５０においてＹＥＳ）、振動制御部６５は、第３振動駆動回路６１ｃに制御信号を送信して、第３振動出力部６２ｃを駆動させる（ステップＳ２５２）。一方、血圧区分判定部６０により最高血圧がＳ２以上であると判定されると（ステップＳ２５０においてＮＯ）、この振動出力処理を終了する。
【０１１６】
このように、３つの振動出力部を設けることにより、より詳しい血圧区分を振動の位置の違いによって被験者に知らせることが可能となる。
【０１１７】
［実施の形態３］
実施の形態２では、複数の振動出力手段を設けて、振動の場所の違いによって血圧区分を知らせるものであったが、実施の形態３では、場所の違いではなく、その振動の伝え方、たとえば周波数の違いにより血圧区分を知らせる。
【０１１８】
実施の形態３に係る血圧計の構成は、実施の形態１およびその変形例で用いた構成と同じである。したがって、ここでは、実施の形態１で用いた血圧計１００Ａを用いて以下説明する。
【０１１９】
実施の形態３では、たとえば、２種類の異なる周波数により振動出力部６２を振動させることで血圧区分を知らせる。この２種類の異なる周波数を、たとえば周波数Ｆａおよび周波数Ｆｂとして説明する。
【０１２０】
図２２は、本発明の実施の形態３における振動出力処理の流れを示すフローチャートである。この処理は、たとえば図５のステップＳ１１２，図９のステップＳ１４６，あるいはステップＳ１５４において実行される処理である。
【０１２１】
図２２に示す振動出力処理の例は、実施の形態２と同様に、所定の血圧区分、たとえば高血圧区分であるか否かを判定するものである。したがって、この場合も、判定基準となる所定の最高血圧Ｓ１および最低血圧Ｄ１の値がメモリ部３９に予め記憶されている。なお、ここでも、たとえばＳ１を１４０ｍｍＨｇ、Ｄ１を９０ｍｍＨｇとし、ＷＨＯ／ＩＳＨによる血圧区分の高血圧区分か否かを判定する。
【０１２２】
図２２を参照して、血圧区分判定部６０は、はじめに、最高血圧がＳ１以上であるか否かを判定する（ステップＳ２０２）。最高血圧がＳ１未満であれば（ステップＳ２０２においてＮＯ）、ステップＳ２０６に進む。一方、血圧区分判定部６０により最高血圧がＳ１以上であると判定されると（ステップＳ２０２においてＹＥＳ）、振動制御部６５は振動駆動回路６１に周波数Ｆａで振動させる制御信号を送信し、振動駆動回路６１は振動制御部６５からの信号に応じて振動出力部６２を駆動させる（ステップＳ３０４）。ステップＳ３０４の処理の後、ステップＳ２０６に移行する。
【０１２３】
次に、ステップＳ２０６において、血圧区分判定部６０は最低血圧がＤ１以上であるか否かを判定する。血圧区分判定部６０により最低血圧がＤ１未満であると判定されると（ステップＳ２０６においてＮＯ）、この振動出力処理を終了する。一方、血圧区分判定部６０により最低血圧がＤ１以上であると判定されると（ステップＳ２０６においてＹＥＳ）、振動制御部６５は振動駆動回路６１に周波数Ｆｂで振動させる制御信号を送信し、振動駆動回路６１は振動制御部６５からの信号に応じて振動出力部６２を駆動させる（ステップＳ３０８）。以上で振動出力処理を終了する。
【０１２４】
このように、振動出力部が１つであっても、その周波数の違いにより、被験者に対して血圧区分の判定結果を知らせることができる。したがって、被験者は、振動の速さによって、血圧区分を認識することができる。
【０１２５】
（変形例）
次に、実施の形態３の変形例として、複数の血圧区分を知らせる場合について説明する。
【０１２６】
実施の形態３の変形例では、たとえば、高血圧区分と低血圧区分とを振動により被験者に知らせる。
【０１２７】
メモリ部３９には、実施の形態２の変形例１と同様に、予め、高血圧区分の判定基準となる所定の最高血圧Ｓ１（たとえば１４０ｍｍＨｇ）および最低血圧Ｄ１（９０ｍｍＨｇ）を、低血圧区分の判定基準となる所定の最高血圧Ｓ２（たとえば１００ｍｍＨｇ）を記憶させておく。
【０１２８】
図２３は、本発明の実施の形態３の変形例における振動出力処理の流れを示すフローチャートである。この処理は、たとえば図５のステップＳ１１２，図９のステップＳ１４６，あるいはステップＳ１５４において実行される処理である。
【０１２９】
図２３を参照して、血圧区分判定部６０は、はじめに、最高血圧がＳ１以上であるか否かを判定する（ステップＳ２１２）。最高血圧がＳ１未満であれば（ステップＳ２１２においてＮＯ）、ステップＳ２１６に進む。一方、血圧区分判定部６０により最高血圧がＳ１以上であると判定されると（ステップＳ２１２においてＹＥＳ）、振動制御部６５は振動駆動回路６１に周波数Ｆａで振動させる制御信号を送信し、振動駆動回路６１は振動制御部６５からの信号に応じて振動出力部６２を駆動させる（ステップＳ３１４）。
【０１３０】
ステップＳ２１６において、血圧区分判定部６０は最低血圧がＤ１以上であるか否かを判定する。血圧区分判定部６０により最低血圧がＤ１未満であると判定されると（ステップＳ２１６においてＮＯ）、ステップＳ２１８に進む。一方、血圧区分判定部６０により最低血圧がＤ１以上であると判定されると（ステップＳ２１６においてＹＥＳ）、振動制御部６５は振動駆動回路６１に周波数Ｆａで振動させる制御信号を送信し、振動駆動回路６１は振動制御部６５からの信号に応じて振動出力部６２を駆動させる（ステップＳ３１４）。
【０１３１】
ステップＳ２１８において、血圧区分判定部６０は最高血圧がＳ２未満であるか否かを判定する。血圧区分判定部６０により最高血圧がＳ２未満であると判定されると（ステップＳ２１８においてＹＥＳ）、振動制御部６５は振動駆動回路６１に周波数Ｆｂで振動させる制御信号を送信し、振動駆動回路６１は振動制御部６５からの信号に応じて振動出力部６２を駆動させる（ステップＳ３２０）。一方、血圧区分判定部６０により最高血圧がＳ２以上であると判定されると（ステップＳ２１８においてＮＯ）、この振動出力処理を終了する。
【０１３２】
このように、実施の形態３の変形例では、１つの振動出力部であっても、高血圧区分であると判定されたのか、低血圧区分であると判定されたのかを振動の速さの違いによって被験者に知らせることができる。
【０１３３】
なお、実施の形態３では、振動出力部６２は血圧計本体部１０内に設けられたが、カフ５０内に設けることとしてもよい。
【０１３４】
また、振動の伝え方として、周波数の違いにより血圧区分を知らせる例について説明したが、これに限らず、たとえば振幅の違いにより血圧区分を知らせるものであってもよい。異なる振幅を出力する方法としては、たとえば、２種類の振幅で動く振動出力部を設けておいて、それらを切り替えて駆動させてもよい。あるいは、振動出力部の中に２種類の振幅で動く駆動装置を設けておいて、それらを切り替えて駆動させてもよい。
【０１３５】
なお、上述の本発明の実施の形態１〜３においては、測定部位として手首を想定した手首式の血圧計を例示して説明を行なったが、上腕式のものなど四肢に装着されるものであれば適用が可能である。
【０１３６】
また、上述の実施の形態１〜３における血圧計では、振動により血圧区分を被験者に知らせることができるため、表示部を設けない構成であってもよい。
【０１３７】
また、実施の形態１〜３を組み合わせることにより、より多くの血圧区分について判定し、振動出力するものであってもよい。たとえば、振動出力部をカフ内と血圧計本体部とにそれぞれ設けてもよいし、振動出力部を複数設けて、さらにそれぞれの周波数を変えることにより、多くの血圧区分を被験者に伝えるものとしてもよい。
【０１３８】
また、本発明の血圧計が行なう、振動出力方法を、プログラムとして提供することもできる。このようなプログラムは、コンピュータに付属するフレキシブルディスク、ＣＤ−ＲＯＭ（Compact Disc-ROM）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３９】
提供されるプログラム製品は、ハードディスクなどのプログラム格納部にインストールされて実行される。なお、プログラム製品は、プログラム自体と、プログラムが記録された記録媒体とを含む。
【０１４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４１】
【図１】本発明の実施の形態１〜３に係る血圧計の外観斜視図である。
【図２】本発明の実施の形態１に係る血圧計の構成を表わすブロック図である。
【図３】実施の形態１に係る血圧計のＸ−Ｘ線に沿った模式断面図である。
【図４】血圧計の表示部の画面表示例を示す図である。
【図５】本発明の実施の形態１における血圧測定処理の流れを示すフローチャートである。
【図６】本発明の実施の形態１における振動出力処理の流れを示すフローチャートである。
【図７】ＷＨＯ／ＩＳＨによる血圧区分を示す図である。
【図８】実施の形態１における振動出力処理がなされる場合の一例を示す図である。
【図９】実施の形態１における血圧読み出し処理の流れを示すフローチャートである。
【図１０】本発明の実施の形態１の変形例に係る血圧計の構成を表わすブロック図である。
【図１１】実施の形態１の変形例に係る血圧計のＸ−Ｘ線に沿った模式断面図である。
【図１２】本発明の実施の形態２に係る血圧計の構成を表わすブロック図である。
【図１３】２つの振動出力部の配置例を示す図である。
【図１４】本発明の実施の形態２における振動出力処理の流れを示すフローチャートである。
【図１５】実施の形態２における振動出力処理がなされる場合の具体例を示す図である。
【図１６】本発明の実施の形態２の第１の変形例における振動出力処理の流れを示すフローチャートである。
【図１７】実施の形態２の第１の変形例における振動出力処理がなされる場合の具体例を示す図である。
【図１８】本発明の実施の形態２の第２の変形例に係る血圧計の構成を表わすブロック図である。
【図１９】実施の形態２の第２の変形例に係る血圧計のＸ−Ｘ線に沿った模式断面図である。
【図２０】３つの振動出力部の配置例を示す図である。
【図２１】本発明の実施の形態２の第３の変形例における振動出力処理の流れを示すフローチャートである。
【図２２】本発明の実施の形態３における振動出力処理の流れを示すフローチャートである。
【図２３】本発明の実施の形態３の変形例における振動出力処理の流れを示すフローチャートである。
【符号の説明】
【０１４２】
１０  血圧計本体部、１２  カーラ、１３  外布、１４  内布、１６  面ファスナ、３２  圧力センサ、３３  ポンプ、３４  弁、３５  発振回路、３６  ポンプ駆動回路、３７  弁駆動回路、３９  メモリ部、４０  表示部、４１  操作部、４２  電源部、４３  ブザー、５０  カフ、５１  空気袋、５２  血圧測定用エアー系、５３  チューブ、６０  血圧区分判定部、６１，６１ａ，６１ｂ，６１ｃ  振動駆動回路、６２，６２ａ，６２ｂ，６２ｃ  振動出力部、６５  振動制御部、７０  回路基板、７１  電池、７３  配線、１００Ａ，１００Ｂ，２００Ａ，２００Ｂ  血圧計。
【図１】
2006158639.tif 000003
【図２】
2006158639.tif 000004
【図３】
2006158639.tif 000005
【図４】
2006158639.tif 000006
【図５】
2006158639.tif 000007
【図６】
2006158639.tif 000008
【図７】
2006158639.tif 000009
【図８】
2006158639.tif 000010
【図９】
2006158639.tif 000011
【図１０】
2006158639.tif 000012
【図１１】
2006158639.tif 000013
【図１２】
2006158639.tif 000014
【図１３】
2006158639.tif 000015
【図１４】
2006158639.tif 000016
【図１５】
2006158639.tif 000017
【図１６】
2006158639.tif 000018
【図１７】
2006158639.tif 000019
【図１８】
2006158639.tif 000020
【図１９】
2006158639.tif 000021
【図２０】
2006158639.tif 000022
【図２１】
2006158639.tif 000023
【図２２】
2006158639.tif 000024
【図２３】
2006158639.tif 000025